(57)【特許請求の範囲】
【請求項１】
ドアに出没自在に取り付けられる可動部材がドア枠内へ進入することによって施錠されるドアシステムの施錠状態を検出するドアスイッチシステムであって、
前記可動部材及び前記ドア枠内のうちの一方に、ユニークなＩＤコードを示す無線ＩＤタグを備え、
他方に、前記可動部材が前記ドア枠内へ進入している場合に期待される電磁場を前記無線ＩＤタグに接触することなく検出する無線ＩＤタグリーダを備える
ことを特徴とするドアスイッチシステム。
【請求項２】
前記無線ＩＤタグリーダが発する読み取り用電波の強度は、前記可動部材が前記ドア枠内へ進入している場合の前記無線ＩＤタグの位置でのみ前記ＩＤコードが読み取られるように調整される
ことを特徴とする請求項１に記載のドアスイッチシステム。
【発明の詳細な説明】
【技術分野】
【０００１】
本発明は、ドアシステムの施錠状態を検出するドアスイッチシステムに関し、特に、小型で耐久性が高くかつ無効化が困難なドアスイッチシステムを実現する技術に関する。
【背景技術】
【０００２】
従来、ドアシステムの施錠状態を検出する様々なドアスイッチシステム、及びその応用が提案され、実用化されている。
【０００３】
例えば、第１の従来技術として、ストライクボックス内にマイクロスイッチを設け、デッドボルトが前記マイクロスイッチを押圧することによって、室内照明をオフするキースイッチが知られている。
【０００４】
このキースイッチによれば、ドアの施錠及び開錠に連動して、室内照明を自動的にオフおよびオンできるので、室内照明の消し忘れや、点灯のために暗がりでスイッチを探す不便が解消される。
【０００５】
また、第２の従来技術として、ドアに取り付けられる扉錠、及び枠等に取り付けられる受座の一方にリードスイッチ、他方に永久磁石を設けたスイッチング装置であって、非磁性体で製作された前記扉錠及び受座のフロント板の一部に、鉄等の透磁率の高い材料からなる中間部材を設けたスイッチング装置が知られている。
【０００６】
このスイッチング装置によれば、磁力を用いて検出を行う場合に、磁力線を前記中間部材に集約することによって、磁力線を前記リードスイッチに効率よく導くことができる。
【０００７】
ドアスイッチシステムを、インターロックシステムに応用することも可能である。
特許文献１には、インターロックシステムを備えたピッキング装置の一例が開示されている。特許文献１に開示されるインターロックシステムは、安全柵で囲われたピッキング装置において、前記安全柵内に入り込んだ人を検知する人体センサを設け、前記人体センサが人を検知した場合に前記ピッキング装置を非常停止させる。
【０００８】
例えば、このインターロックシステムにおいて、前記安全柵の扉部の施錠状態をドアスイッチシステムにより検出し、施錠状態が検出されない場合に前記ピッキング装置を非常停止させることによって、安全性をさらに向上させることができる。
【０００９】
ドアスイッチシステムをインターロックシステムに用いる場合には、無効化が困難であることが求められる。ここで言う無効化とは、安全上必要なオーバヘッドを不正に省こうと企図した作業者が、ドアシステムが実際には施錠されていない状態で、ドアスイッチシステムに施錠状態を誤検出させることである。
【００１０】
そこで、第３の従来技術として、無効化が困難となるように構成されたドアスイッチシステムが市販されている。
【００１１】
図６は、そのようなドアスイッチシステムの一典型例を示す構成図である。
図６に示されるドアスイッチシステムは、ドア及びドア枠の一方及び他方にそれぞれ面付けされる錠本体部９１と受け金具９２とから構成され、施錠の際、所定形状のスライドキー９３が、スライドキー９３の破損を防ぐための保護金具９４と共に錠本体部９１から突出し、受け金具９２内へ進入する。そして、スライドキー９３が受け金具９２内に設けられたセンサスイッチ９５と嵌合することにより施錠状態を検出する。
【００１２】
このドアスイッチシステムによれば、所定形状のスライドキー９３とセンサスイッチ９５とが嵌合しない限り施錠状態が検出されないので、ありあわせの部材を受け金具９２に差し込むなどしても容易には無効化できない。
【特許文献１】特開２００２−３７０８０６号公報
【発明の開示】
【発明が解決しようとする課題】
【００１３】
しかしながら、従来の技術によれば、小型で耐久性が高くかつ無効化が困難なドアスイッチシステムを実現することが難しいという問題がある。
【００１４】
第１の従来技術のキースイッチは、彫込み錠に埋設される程度に小型に実現可能であるが、マイクロスイッチをありあわせの部材で押圧するだけで容易に無効化できてしまう。また、機械的なマイクロスイッチを用いるため耐久性の点で劣る。
【００１５】
第２の従来技術のスイッチング装置は、永久磁石とリードスイッチとを用いて施錠状態を検出することから、良好な耐久性を有しかつ無効化が比較的困難であると考えられるが、フロント板に中間部材を設けるためのスペースが必要となるため小型化の点で不利である。
【００１６】
第３の従来技術のドアスイッチシステムによれば、無効化は困難であるが、スライドキーを保護する比較的大きな保護金具を備えるため小型化の点で不利である。また、ドアスイッチシステムが面付けにより露出した状態で設置されることは、デザインが制限されることや、保安の面から必ずしも好ましいとは言えない。
【００１７】
本発明は、このような事情に鑑みてなされたものであり、小型で耐久性が高くかつ無効化が困難なドアスイッチシステムを提供することを目的とする。
【課題を解決するための手段】
【００１８】
上記問題を解決するため、本発明のドアスイッチシステムは、ドアに出没自在に取り付けられる可動部材がドア枠内へ進入することによって施錠されるドアシステムの施錠状態を検出するドアスイッチシステムであって、前記可動部材及び前記ドア枠内のうちの一方に、ユニークなＩＤコードを示す無線ＩＤタグを備え、他方に、前記可動部材が前記ドア枠内へ進入している場合に期待される電磁場を前記無線ＩＤタグに接触することなく検出する無線ＩＤタグリーダを備える。
また、前記無線ＩＤタグリーダが発する読み取り用電波の強度は、前記可動部材が前記ドア枠内へ進入している場合の前記無線ＩＤタグの位置でのみ前記ＩＤコードが読み取られるように調整されてもよい。
【００１９】
この構成によれば、無線ＩＤタグ及び無線ＩＤタグリーダの一方を、例えばデッドボルトといった施錠機能を発揮するための可動部材に設けることにより、鍵本体部又は受け金具のフロント面の一部が無線ＩＤタグ又は無線ＩＤタグリーダによって占有されることがないので、ドアスイッチシステムの小型化に役立つ。また、無線ＩＤタグ及び無線ＩＤタグリーダの他方をドア枠内に設けることにより、彫込み錠に適用できるので、従来の面付けによるデザイン上及び保安上の不利が解消される。
【００２０】
さらに、期待される所定の電磁場を検出することにより施錠状態を検出するので、ありあわせの部材を検出器に接近させるなどしても施錠状態は検出されず、無効化は困難である。そして、非接触で施錠状態を検出するので、耐久性も高い。
【００２５】
本発明は、このようなドアスイッチシステムとして実現できるだけでなく、このようなドアスイッチシステムを用いたインターロックシステムとして実現することもできる。さらには、このようなインターロックシステムによる非常停止機能を備える自動倉庫や工作機械として実現することも可能である。
【発明の効果】
【００２６】
前記説明したように、本発明のドアスイッチシステムによれば、無線ＩＤタグ及び無線ＩＤタグリーダの一方を、前記可動部材に設けることにより、鍵本体部又は受け金具のフロント面の一部が無線ＩＤタグ又は無線ＩＤタグリーダによって占有されることがないので、ドアスイッチシステムの小型化に役立つ。また、無線ＩＤタグ及び無線ＩＤタグリーダの他方をドア枠内に設けることにより、彫込み錠に適用できるので、従来の面付けによるデザイン上及び保安上の不利が解消される。
【００２７】
さらに、期待される所定の電磁場により施錠状態を検出するので、ありあわせの部材を検出器に接近させるなどしても施錠状態は検出されず、従って無効化は困難である。そして、非接触で施錠状態を検出するので、耐久性も高い。
【発明を実施するための最良の形態】
【００２８】
本発明の実施の形態におけるドアスイッチシステムについて、図面を参照しながら詳細に説明する。
【００２９】
図１（Ａ）は、実施の形態におけるドアスイッチシステムの一例を、ドアスイッチシステムが適用される開き戸システムと共に示す構成図である。
【００３０】
この開き戸システムは、ドア１とドア枠２とからなり、ドア１に埋設される鍵本体部１０、及びドア枠２に埋設される受け金具２０を用いて施錠することができる。
【００３１】
鍵本体部１０には、キーシリンダ１１に挿入されたキーに加えられる回動力によって鍵本体部１０のフロント面１７から出没するデッドボルト１２と、フロント面１７から進出する方向に付勢され、折り畳みノブ１８に加えられる回動力により鍵本体部１０内へ引き込まれるラッチボルト１９とが設けられる。
【００３２】
ここで、デッドボルト１２が、特許請求の範囲に記載の可動部材の一例である。さらにラッチボルト１９を可動部材に含めても構わない。
【００３３】
受け金具２０のフロント面２７には、デッドボルト１２及びラッチボルト１９を受け入れる孔が設けられる。デッドボルト１２及びラッチボルト１９が、その孔から受け金具２０内へ進入し、受け金具２０と係合することによって、それぞれ施錠及び仮締まりが行われる。
【００３４】
施錠を行うためのこのような構成は周知であるため、これ以上詳細な説明を省略する。
次に、実施の形態におけるドアスイッチシステムに特徴的な、施錠状態を検出するための構成について説明する。
【００３５】
このドアスイッチシステムは、デッドボルト１２に取り付けられる磁石１３と、受け金具２０に取り付けられる磁気センサ２１とを備える。ここで、磁石１３が、特許請求の範囲に記載の被検出体の一例であり、磁気センサ２１が特許請求の範囲に記載の検出器の一例である。
【００３６】
磁石１３は、例えばアルニコ磁石、フェライト磁石、希土類磁石等の周知の永久磁石である。また、磁気センサ２１は、例えばホール素子、磁気抵抗素子等の周知の素子を用いて磁界強度を電気信号に変換するセンサである。
【００３７】
図１（Ｂ）は、磁石１３のデッドボルト１２への取り付け状態の一例を説明する拡大図である。図に見られるように、磁石１３は、デッドボルト１２の先端に設けられる切り欠き部に嵌め込まれ、ねじ止めされるとしてもよい。
【００３８】
磁石１３をデッドボルト１２のこのような位置に取り付けることは、施錠状態においても、またドア１を開いた状態で誤って進出させたデッドボルト１２を受け金具２０に突き当てた場合でも、磁石１３が受け金具２０と直接接触しないため、耐久性に優れたドアスイッチシステムを実現する上で有利である。
【００３９】
磁石１３は、デッドボルト１２の動きに伴って、図１（Ａ）に示される鎖線に沿って、磁気センサ２１に接近し、また後退する。
【００４０】
磁気センサ２１は、デッドボルト１２が受け金具２０内（つまり、ドア枠２内）へ進入している場合と退出している場合とで、磁石１３の位置の違いから期待されるそれぞれの磁場を検出する。
【００４１】
そして、デッドボルト１２が受け金具２０内へ進入している場合に期待される磁場を検出すると、施錠状態を示す施錠信号を信号線２９へ出力する。また、そのような磁場が検出されない場合には、デッドボルト１２が受け金具２０から退出しているとして、施錠信号の出力を停止する。
【００４２】
以上説明した構成によれば、フロント面１７及びフロント面２７の一部が磁石１３及び磁気センサ２１によって占有されることがないので、ドアスイッチシステムの小型化に役立つ。また、磁気センサ２１を受け金具２０内に設けることにより、彫込み錠に適用できるので、従来の面付けによるデザイン上及び保安上の不利が解消される。
【００４３】
さらに、施錠状態を磁気的に検出するので、従来の技術の１つでは可能だったマイクロスイッチに対する機械的な押圧による無効化が不可能となり、無効化の防止に一定の効果が得られる。そして、非接触で施錠状態を検出するので、耐久性も高い。
【００４４】
なお、磁石１３を受け金具２０に取り付け、磁気センサ２１をデッドボルト１２に取り付けても構わない。また、磁石１３をラッチボルト１９に取り付け、磁気センサ２１を受け金具２０内のラッチボルト１９と対向する位置に取り付けても構わない。そのように構成されるドアスイッチシステムも、本発明に含まれる。
【００４５】
また、磁気センサ２１からの信号を増幅するアンプやトランシーバ、また磁気センサ２１を制御するためのコントローラ等、磁気センサ２１の動作上必要な周知の構成を信号線２９に適宜接続しても構わない。
【００４６】
次に、無効化をより確実に防止できるドアスイッチシステムの変形例について説明する。
【００４７】
図２は、この変形例におけるドアスイッチシステムの一例を示す構成図である。
このドアスイッチシステムは、図１（Ａ）に示されるドアスイッチシステムの磁石１３を、所定の磁極性順序で複数の磁石片を配列してなる磁石アレイ１４に変更し、かつ磁気センサ２１を、個々に磁場方向を検出可能な複数の磁気センサを配列してなる磁気センサアレイ２２に変更することによって構成される。
【００４８】
磁石アレイ１４は、例えば複数のアルニコ磁石片、複数のフェライト磁石片、複数の希土類磁石片等を、非磁性体で製作した基台に所定の磁極性順序で着設することによって製作できる。また、磁気センサアレイ２２は、例えば複数のホール素子を、磁石片と対向する位置に複数並設することによって製作できる。この場合には、磁場方向を検出することができるホール素子が好適である。
【００４９】
以上説明した構成によれば、所定の磁極性順序が検出されない限り、施錠状態が検出されないので、例えば単極の磁石を近づけただけでは施錠状態は検出されず、より確実に無効化を防止できるドアスイッチシステムが実現される。
【００５０】
次に、無効化を極めて堅固に防止できるドアスイッチシステムの変形例について説明する。
【００５１】
図３は、この変形例におけるドアスイッチシステムの一例を示す構成図である。
このドアスイッチシステムは、図１（Ａ）に示されるドアスイッチシステムの磁石１３を、無線ＩＤタグ１５に変更し、かつ磁気センサ２１を、無線ＩＤタグリーダ２３に変更することによって構成される。
【００５２】
無線ＩＤタグ１５には、ユニークなＩＤコードを示す読み取り専用のものを用いることができる。なお、デッドボルト１２が受け金具２０内へ進入している場合の無線ＩＤタグ１５の位置でのみＩＤコードが読み取られるように、無線ＩＤタグリーダ２３が発する読み取り用電波の強度は適宜調整されるとする。
【００５３】
以上説明した構成によれば、所定のＩＤコードが読み取られない限り、施錠状態が検出されないので、無効化を極めて堅固に防止することができるドアスイッチシステムが実現される。
【００５４】
なお、無線ＩＤタグ１５に代えて、特定の周波数の電磁波を共振により吸収する単純な無線タグを用いてもよい。その場合、無線タグリーダは、無線タグが受け金具２０内へ進入している場合に期待されるところの特定の周波数の電磁場の減衰を検出することによって、施錠状態を検出することができる。
【００５５】
また、磁石や無線タグの他にも、受け金具２０内へ進入している場合に検出器との間に特定の静電容量を形成する被検出体を用いることもできる。その場合、検出器として静電容量センサを用いてその特定の静電容量を検出することによって、施錠状態を検出することができる。
【００５６】
次に、上述したドアスイッチシステムをインターロックシステムに適用した自動倉庫について説明する。
【００５７】
図４は、そのような自動倉庫３の構成の一例を示す概念図である。
自動倉庫３は、一例として、施錠可能な１つの部屋又は建屋に設けられる。施錠された内部においてスタッカクレーン４が制御装置４１の制御下で無人運転される。安全のためスタッカクレーン４が停止している状態で、作業者はドア１から自動倉庫３に出入りする。
【００５８】
ドア１とドア枠２には、それぞれ上述したドアスイッチシステムを備える鍵本体部１０と受け金具２０とが設けられる。ドアスイッチシステムは、スタッカクレーン４を非常停止させるためのインターロックシステムに用いられる。
【００５９】
受け金具２０に設けられる検出器は、施錠状態が検出されている間、信号線２９を通して制御装置４１へ施錠信号を出力する。制御装置４１は、この施錠信号が与えられている限り、スタッカクレーン４を通常に制御する。
【００６０】
検出器は、施錠状態が検出されなくなると、施錠信号の出力を停止する。制御装置４１は、施錠信号が途切れることにより、スタッカクレーン４を非常停止させる。
【００６１】
この構成によれば、ドアスイッチシステムの無効化が困難であるために、作業者は安全上必要なオーバヘッドを不正に省くことができず、その結果、作業者の安全を良好に保つことでできる。
【００６２】
なお、このようなインターロックシステムを、自動倉庫以外に適用することももちろん可能である。例えば、危険源となり得る工作機械を自動運転している部屋又は建屋において、入り口の施錠が検出されない場合に、工作機械を非常停止させるために用いることもできる。
【００６３】
次に、引き戸システムに適合するドアスイッチシステムの変形例について説明する。
図５は、この変形例におけるドアスイッチシステムの一例を示す構成図である。
【００６４】
このドアスイッチシステムは、図１（Ａ）に示されるデッドボルト１２を、鉤部材１６に変更すると共に、受け金具２０のフロント面２７における孔の形状を変更することによって構成される。ラッチボルト１９及び折り畳みノブ１８は省略される。
【００６５】
鉤部材１６は、鍵本体部１０に回動可能に取り付けられ、キーシリンダ１１に挿入されたキーに加えられる回動力によって鍵本体部１０のフロント面１７から出没する。鉤部材１６がフロント面２７に設けられる孔から受け金具２０内へ進入し、受け金具２０と係合することによって、施錠が行われる。
【００６６】
鉤部材１６には、施錠された状態で磁気センサ２１と対向する位置に磁石１３が設けられる。磁石１３は、鉤部材１６の動きに伴って、図５に示される鎖線に沿って、磁気センサ２１に接近し、また後退する。
【００６７】
磁気センサ２１は、鉤部材１６が受け金具２０内へ進入している場合と退出している場合とで、磁石１３の位置の違いから期待されるそれぞれの磁場を検出することによって、施錠状態を検出する。
【００６８】
以上説明した構成によれば、鉤部材１６を用いることにより引き戸システムに適合し、なおかつ、上述の説明と同様に、小型で耐久性が高く無効化が困難なドアスイッチシステムが得られる。
【産業上の利用可能性】
【００６９】
本発明に係るドアスイッチシステムは、例えば自動倉庫や工作機械のインターロックシステムを初めとして、ドアの施錠状態を検出して所定の制御を行う制御システムに広く利用できる。
【図面の簡単な説明】
【００７０】
【図１】（Ａ）実施の形態におけるドアスイッチシステムの一例を示す構成図、（Ｂ）磁石のデッドボルトへの取り付け状態の一例を説明する拡大図
【図２】ドアスイッチシステムの変形例を示す構成図
【図３】ドアスイッチシステムの他の変形例を示す構成図
【図４】ドアスイッチシステムを用いた自動倉庫の構成例を示す概念図
【図５】引き戸システムに適合するドアスイッチシステムの変形例を示す構成図
【図６】従来の面付けされるドアスイッチシステムの一典型例を示す構成図
【符号の説明】
【００７１】
１    ドア
２    ドア枠
３    自動倉庫
４    スタッカクレーン
１０    鍵本体部
１１    キーシリンダ
１２    デッドボルト
１３    磁石
１４    磁石アレイ
１５    無線ＩＤタグ
１６    鉤部材
１７    フロント面
１８    折り畳みノブ
１９    ラッチボルト
２０    受け金具
２１    磁気センサ
２２    磁気センサアレイ
２３    無線ＩＤタグリーダ
２７    フロント面
２９    信号線
４１    制御装置
９１    錠本体部
９２    受け金具
９３    スライドキー
９４    保護金具
９５    センサスイッチ
【図１】
0004623058.tif 000002
【図２】
0004623058.tif 000003
【図３】
0004623058.tif 000004
【図４】
0004623058.tif 000005
【図５】
0004623058.tif 000006
【図６】
0004623058.tif 000007